(57)【特許請求の範囲】
【請求項１】
ユーザの首元を挟んだ位置に配置可能な２つの腕部を備える首掛け型装置を、前記ユーザの首周りに装着するための衣服であって、
前記２つの腕部を前記ユーザからみて外側に開く方向に付勢した状態で、前記２つの腕部の両方を、前記衣服の本体に保持するための保持手段を備える
衣服。
【請求項２】
前記保持手段は、伸縮部材によって構成されている
請求項１に記載の衣服。
【請求項３】
前記保持手段は、前記腕部が挿通される伸縮性を持つループ部と、前記ループ部を前記衣服の本体に固定するための固定部を有する
請求項１又は請求項２に記載の衣服。
【請求項４】
ユーザの首元を挟んだ位置に配置可能な２つの腕部を備える首掛け型装置を、前記ユーザの首周りに装着するための衣服であって、
前記首掛け型装置は、前記２つの腕部を前記ユーザの首裏に相当する位置にて連結する本体部を有し、
前記本体部は、前記２つの腕部よりも下方に向かって延出する下垂部を含むように構成されており、
前記衣服は、
前記２つの腕部の両方又は少なくともいずれか一方を、前記衣服の本体に保持するための保持手段と、
少なくとも前記本体部の前記下垂部を収納可能な本体収納部を備える
衣服。
【請求項５】
ユーザの首元を挟んだ位置に配置可能な２つの腕部を備える首掛け型装置を、前記ユーザの首周りに装着するための衣服であって、
前記首掛け型装置は、前記２つの腕部を前記ユーザの首裏に相当する位置にて連結する本体部を有し、
前記衣服は、
前記２つの腕部の両方又は少なくともいずれか一方を、前記衣服の本体に保持するための保持手段と、
前記保持手段によって前記腕部が保持された状態において、少なくとも前記本体部を被覆するためのカバーを備える
衣服。
【請求項６】
前記カバーを収納するためのカバー収納部と、前記カバーと前記衣服の本体とを着脱自在に締結するための締結手段との両方又はいずれか一方を、さらに備える
請求項５に記載の衣服。
【発明の詳細な説明】
【技術分野】
【０００１】
本発明は、首掛け型装置を装着するために用いられる衣服に関する。
【背景技術】
【０００２】
本願出願人は、いわゆるウェアラブルデバイスの一種として、装着者の首周りに装着される首掛け型装置を提案している（特許文献１，特許文献２）。本願出願人が提案する首掛け型装置は、ユーザの首元を挟んだ位置に配置可能な２つの腕部を備えており、各腕部にマイクや、カメラ、各種センサなどが搭載されたものである。
【先行技術文献】
【特許文献】
【０００３】
【特許文献１】特許第６７８６１３９号公報
【特許文献２】特許第６７１９１４０号公報
【発明の概要】
【発明が解決しようとする課題】
【０００４】
ところで、首掛け型装置は、ユーザの両肩の上に置くようにして装着することを想定した構造となっているが、ユーザはその装着中に、歩行したり、前屈みになったり、後ろに仰け反ったりするなど、様々な動作を行うことが予想される。そして、ユーザによってこのような動作が行われると、首掛け型装置の装着位置にずれが生じるおそれがある。特に、本願出願人が提案する首掛け型装置は、腕部の先端面にカメラが搭載されており、ユーザの正面側の風景を撮影することを特徴の一つとしたものであるが、首掛け型装置の装着位置がずれてしまうと、ユーザが見ているものとカメラによって撮影した風景が異なるという不具合が発生する。
【０００５】
そこで、本発明は、首掛け型装置の装着位置にずれが生じる事態を効果的に抑制することを主な目的とする。
【課題を解決するための手段】
【０００６】
本発明は、首掛け型装置をユーザの首周りに装着するための衣服に関する。「衣服」の種類は、特に制限されず、ユーザの上半身や首周りや頭部などに身に着けられるものであればよい。衣服としては、例えば、ハーネス、ベスト、Ｔシャツ、襟付きシャツ、カットソー、ジャケット、セーター、カーディガンなどの上半身に着るものの他、マフラー、ストール、ネックウォーマーなどの首周りに着るものや、帽子、サンバイザー、ヘルメットなどの頭部に付けるものも含まれる。また、「首掛け型装置」は、ウェアラブルデバイスの一種であって、マイクや、カメラ、各種センサなどを搭載した電子機器である。首掛け型装置は、ユーザの首元を挟んだ位置に配置可能な２つの腕部を備える。なお、本発明の対象は、首掛け型装置の装着を補助するための衣服であり、首掛け型装置自体は本発明に含まれない。ここで、本発明に係る衣服は、首掛け型装置の２つの腕部の両方又は少なくともいずれか一方を、衣服の本体に保持するための保持手段を備える。「保持手段」は、首掛け型装置をユーザの肩上にただ載置するだけの場合と比較して、比較して首掛け型装置の装着位置のずれが抑制できるものであればよく、首掛け型装置を衣服の本体に着脱自在に保持できる手段であれば特に制限されない。保持手段の例は、ループ部材や、バンド部材、クリップ部材、粘着部材、吊り下げ部材、及び嵌め込み部材が挙げられるが、これらに限られない。また、保持手段としては、例えばマグネット同士、金属とマグネット、面ファスナー（メカニカルファスナー）、ネジとボルトなど、衣服側に備え付けられた部品と首掛け型装置側に備え付けられた部品とが互いに係合する機構を採用することもできる。
【０００７】
上記のように、衣服に首掛け型装置の保持手段を設けておき、この衣服をユーザに身に着けさせることで、首掛け型装置の装着位置にずれが生じることを効果的に抑制できる。特に、首掛け型装置の腕部を保持手段によって押さえることで、この腕部に設けられたカメラの撮影ミスやセンサの検知ミスを減らすことが可能となる。
【０００８】
本発明に係る衣服において、保持手段は伸縮部材によって構成されていることとしてもよい。伸縮部材によって首掛け型装置の腕部を保持することで、首掛け型装置の着脱が容易になるとともに、首掛け型装置の腕部がユーザの動作に追随しやすくなるため、首掛け型装置を装着することによってユーザの動きが制限されることを抑制できる。
【０００９】
本発明に係る衣服において、保持手段は、首掛け型装置の腕部が挿通される伸縮性を持つループ部と、このループ部を衣服の本体に固定するための固定部を有することとしてもよい。このように、ループ部と固定部を別に構成することで、首掛け型装置の着脱がさらに容易になる。また、首掛け型装置の腕部がユーザの動作にさらに追随しやすくなる。
【００１０】
本発明に係る衣服において、保持手段は、首掛け型装置の２つの腕部をユーザからみて外側に開く方向に付勢した状態で、２つの腕部の両方を保持するものであることが好ましい。この場合に、保持手段は、２つの腕部を外側に向かって引っ張るように構成されたものであってもよいし、２つの腕部を外側に向かって押し込むように構成されたものであってもよい。首掛け型装置の腕部を外側に開くように付勢することで、これに対抗して首掛け型装置の腕部には内側に閉じようとする力が生じる。このように、腕部を外側に開く力と内側に閉じる力を発生させることで、これらの力に首掛け型装置の荷重の一部又は全部が負担させることができるため、ユーザの両肩に掛かる首掛け型装置の荷重を分散することができる。これにより、首掛け型装置の位置ずれを抑制しつつ、首掛け型装置を装着することによって生じるユーザの負担を軽減することが可能である。
【００１１】
首掛け型装置は、２つの腕部をユーザの首裏に相当する位置にて連結する本体部を有する。このとき、首掛け型装置の本体部は、２つの腕部よりも下方に向かって延出する下垂部を含むように構成されていてもよい。この場合に、本発明に係る衣服は、首掛け型装置の本体部全体又は少なくとも下垂部を収納可能な本体収納部を有することが好ましい。このように、首掛け型装置の本体部の全部又は一部（下垂部）を衣服に収納できるようにすることで、首掛け型装置の装着位置のずれの抑制効果がさらに向上する。また、首掛け型装置の本体部には衝撃や水分に弱い電子部品が搭載されていることが想定されるが、その全部又は一部を衣服内に収納することで、首掛け型装置を保護して、故障が発生する事態を抑制できる。
【００１２】
本発明に係る衣服は、保持手段によって首掛け型装置の腕部が保持された状態において、首掛け型装置全体又は少なくともその本体部を被覆するためのカバーをさらに備えることが好ましい。このように、衣服にカバーを備え付けておくことで、例えば屋外での作業において急に雨が降り出したような場合でも、首掛け型装置を保護して故障が発生することを防止できる。
【００１３】
本発明に係る衣服は、カバーを収納するためのカバー収納部と、カバーと衣服の本体部とを着脱自在に締結するための締結手段との両方又はいずれか一方を、さらに備えることが好ましい。不要な場合には衣服のカバーを収納できるようにしておくことで、衣服の利便性が向上する。また、カバーと衣服本体との締結手段（例えば面ファスナー等）を設けることで、カバーによって首掛け型装置を覆った状態を維持しやすくなる。
【発明の効果】
【００１４】
本発明よれば、首掛け型装置の装着位置にずれが生じる事態を効果的に抑制することができる。
【図面の簡単な説明】
【００１５】
【図１】図１は、本発明に係る衣服の一実施形態を示した正面図である。
【図２】図２は、本発明に係る衣服の一実施形態を示した背面図であり、一部構造を省略して描画している。
【図３】図３は、衣服に装着可能な首掛け型装置の一例を示している。
【図４】図４は、首掛け型装置を衣服に装着した状態を模式的に示している。
【図５】図５は、衣服に備え付けられたカバーの使用方法を模式的に示している。
【図６】図６は、衣服に取付可能なポーチの一例を示している。
【発明を実施するための形態】
【００１６】
以下、図面を用いて本発明を実施するための形態について説明する。本発明は、以下に説明する形態に限定されるものではなく、以下の形態から当業者が自明な範囲で適宜変更したものも含む。
【００１７】
［１．衣服］
図１及び図２を参照して、本発明に係る衣服の一実施形態として、ハーネス型に構成された衣服１について説明する。ただし、前述したとおり、本発明は、ここに図示したハーネス型の衣服に限定されず、ユーザの上半身や首周りや頭部などに身に着けられるものであれば、あらゆる種類の衣服に適用することができる。
【００１８】
図１及び図２に示されるように、本実施形態に係る衣服１は、基本的に、衣服本体１０と、この衣服本体１０に首掛け型装置を取り付けるのに用いられる左右の保持具２０，３０とを含む。首掛け型装置の取り付け方の詳細については後述する。
【００１９】
衣服本体１０は、ユーザが衣服１を身に着けた状態において、ユーザの左肩から左胸部辺りを覆う左前身頃１１と、ユーザの右肩から右胸部辺りを覆う右前身頃１２と、ユーザの背部を覆うと共にこれらの左右の前身頃１１，１２を繋ぐ後身頃１３とを含んで構成されている。また、左前身頃１１は、ユーザの左肩周辺に位置する左肩部１１ａを有し、右前身頃１２は、ユーザの左肩周辺に位置する右肩部１２ａを有している。この左肩部１１ａと右肩部１２ａには、それぞれ左腕保持具２０と右腕保持具３０が固定されている。また、左右の前身頃１１，１２は、公知のファスナーによって開閉できる収納部１１ｂ，１２ｂを有する。この収納部１１ｂ，１２ｂには、首掛け型装置の交換用バッテリーやその他周辺機器など、任意の物を収納できる。また、左右の前身頃１１，１２には、それぞれ雄バックル１１ｃと雌バックル１１ｄとが取り付けられており、これらの雄バックル１１ｃと雌バックル１１ｄを嵌合することで、衣服１がしっかりとユーザの上半身に装着される。また、左右の前身頃１１，１２は、後述するベルト４０を吊り下げるための係止具１１ｄ，１２ｄを取り付けておくこともできる。
【００２０】
衣服本体１０の後身頃１３は、左右方向の中央付近において上縁部分に切り欠き部１３ａが形成されている。この切り欠き部１３ａは、後述するように首掛け型装置の近接センサを避けるために形成されたものである。また、図２に示されるように、後身頃１３の背面側には、公知のファスナーによって開閉できる本体収納部１３ｂが形成されている。この本体収納部１３ｂには、首掛け型装置１００の本体部１３０を収納できる。また、後身頃１３の背面には、挿入孔１３ｃが形成されており、この挿入孔１３ｃは、本体収納部１３ｂの収納空間に繋がっている。例えば、首掛け型装置１００の本体部１３０に接続されたケーブル類を、この挿入孔１３ｃを通じて収納空間から外に出すことができる。また、図１に示されるように、後身頃１３の正面側には、カバー収納部１４が設けられている。詳しくは後述するが、このカバー収納部１４には、雨避け用のカバーが収納されている。
【００２１】
また、この衣服１は、さらにベルト４０を含む。ベルト４０は、ユーザの腰回りに巻き付けられる帯状の部材であり、ユーザの上半身に対する衣服１の装着状態をさらに強固にする。ベルト４０の腹部側の端部には、雄バックル４１と雌バックル４２が設けられており、これらのバックル４１，４２を嵌合させることで、ベルト４０の帯状部分がユーザの腰回りに巻き付くようになる。また、ベルト４０にも係止具４３，４４が設けられており、これらを左右の前身頃１１，１２に設けられた係止具１１ｄ，１２ｄに係合させることで、ベルト４０の帯状部分が左右の前身頃１１，１２に吊り下げられた状態となる。
【００２２】
［２．首掛け型装置］
続いて、図３を参照して、本実施形態に係る衣服１に取り付けることのできる首掛け型装置１００の一例について説明する。この首掛け型装置１００については、特許文献１（特許第６７８６１３９号公報）及び特許文献２（特許第６７１９１４０号公報）に記載された構成を参照できる。この首掛け型装置１００は、複数の集音部（マイク）を備えていることから、装着者又はその対話者の発した音声を録音することができる。また、この首掛け型装置１００は、撮像部（カメラ）を備えていることから、ユーザに装着された状態でその前方の風景を撮像することができる。以下では、主に首掛け型装置１００のハードウェアについて説明する。
【００２３】
図３に示されるように、首掛け型装置１００を構成する筐体は、左腕部１１０、右腕部１２０、及び本体部１３０を備える。左腕部１１０と右腕部１２０は、本体部１３０の左端と右端から前方に向かって延出しており、首掛け型装置１００は、平面視したときに装置全体として略Ｕ字をなす構造となっている。首掛け型装置１００を装着する際には、本体部１３０を装着者の首裏に接触させ、左腕部１１０と右腕部１２０を装着者の首横から胸部側に向かって垂らすようにして、装置全体を首元に引っ掛ければよい。首掛け型装置１００の筐体内には、各種の電子部品が格納されている。
【００２４】
左腕部１１０と右腕部１２０には、複数の集音部（マイク）１４１〜１４５が設けられている。各集音部１４１〜１４５としては、ダイナミックマイクやコンデンサマイク、ＭＥＭＳ(Micro-Electrical-Mechanical Systems)マイクなど、公知のマイクロホンを採用すればよい。集音部１４１〜１４５は、主に装着者とその対話者の音声を取得することを目的として配置されている。図１に示されるように、左腕部１１０に第１集音部１４１と第２集音部１４２を設け、右腕部１２０に第３集音部１４３と第４集音部１４４を設けることが好ましい。また、任意の要素として、左腕部１１０と右腕部１２０に、一又は複数の集音部を追加で設けることとしてもよい。図１に示した例では、左腕部１１０に、さらに第５集音部１４５を設けることとしている。これらの集音部１４１〜１４５によって取得した音信号は、本体部１３０内に設けられた制御部（メインＣＰＵ）へ伝達されて所定の解析処理が行われる。また、本体部１３０には、このような制御部を含む電子回路やバッテリーなどの制御系が内装されている。
【００２５】
左腕部１１０には、さらに撮像部１６０が設けられている。具体的には、左腕部１１０の先端面１１２に撮像部１６０が設けられており、この撮像部１６０によって装着者の正面側の静止画像や動画像を撮影することができる。撮像部１６０としては一般的なデジタルカメラを採用すればよい。撮像部１６０は、例えば、撮影レンズ、メカシャッター、シャッタードライバ、ＣＣＤイメージセンサユニットなどの光電変換素子、光電変換素子から電荷量を読み出し画像データを生成するデジタルシグナルプロセッサ（ＤＳＰ）、及びＩＣメモリで構成される。また、撮像部１６０は、撮影レンズから被写体までの距離を測定するオートフォーカスセンサ（ＡＦセンサ）と、このＡＦセンサが検出した距離に応じて撮影レンズの焦点距離を調整するための機構とを備えることが好ましい。また、撮像部１６０は、いわゆる広角レンズを備えるものであることが好ましい。撮像部１６０によって取得された画像は、本体部１３０内の制御部に伝達され、画像データとして記憶される。また、撮像部１６０によって取得された画像をインターネットでサーバ装置へ送信することとしてもよい。
【００２６】
右腕部１２０には、さらに非接触型のセンサ部１７０が設けられている。センサ部１７０は、主に首掛け型装置１００の正面側における装着者の手の動きを検知することを目的として、右腕部１２０の先端面１２２に配置されている。センサ部１７０の検知情報は、撮像部１６０の起動や、撮影の開始、停止など、主に撮像部１６０の制御に利用される。例えば、センサ部１７０は、装着者の手などの物体がそのセンサ部１７０に近接したことを検知して撮像部１６０を制御することとしてもよいし、あるいはセンサ部１７０の検知範囲内で装着者が所定のジェスチャーを行ったことを検知して撮像部１６０を制御することとしてもよい。センサ部１７０の例は、近接センサ又はジェスチャーセンサである。近接センサは、例えば装着者の手指が所定範囲まで近接したことを検知する。近接センサとしては、光学式、超音波式、磁気式、静電容量式、又は温感式などの公知のものを採用できる。ジェスチャーセンサは、例えば装着者の手指の動作や形を検知する。ジェスチャーセンサの例は光学式センサであり、赤外発光ＬＥＤから対象物に向けて光を照射し、その反射光の変化を受光素子で捉えることで対象物の動作や形を検出する。また、センサ部１７０での検知情報を、撮像部１６０、集音部１４１〜１４５、及び／又は制御部（メインＣＰＵ）の起動に利用することも可能である。なお、本実施形態において、左腕部１１０の先端面１１２に撮像部１６０を配置し、右腕部１２０の先端面１２２にセンサ部１７０を配置することとしているが、撮像部１６０とセンサ部１７０の位置を入れ替えることも可能である。
【００２７】
上記した左腕部１１０と右腕部１２０は、装着者の首裏に当接する位置に設けられた本体部１３０によって連結されている。この本体部１３０には、プロセッサやバッテリーなどの電子部品が内装されている。例えば、本体部１３０には、回路基板やＣＰＵ等の制御装置、メモリやストレージ等の記憶装置、通信装置、各種のセンサ装置が内装される。本体部１３０を構成する筐体は、図１に示されるように、ほぼ平坦な形状となっており、平面状（板状）の回路基板やバッテリーを格納することができる。また、本体部１３０は、左腕部１１０及び右腕部１２０よりも下方に向かって延出する下垂部１３１を有する。本体部１３０に下垂部１３１を設けることで、制御系回路を内装するための空間を確保している。また、本体部１３０には制御系回路が集中して搭載されている。このため、首掛け型装置１００の全重量を１００％とした場合に、本体部１３０の重量は４０〜８０％又は５０％〜７０％を占める。このような重量の大きい本体部１３０を装着者の首裏に配置することで、装着時における安定性が向上する。また、装着者の体幹に近い位置に重量の大きい本体部１３０を配置することで、装置全体の重量が装着者に与える負荷を軽減できる。
【００２８】
また、本体部１３０の内側（装着者側）には近接センサ１８０が設けられている。近接センサ１８０は、物体の接近を検出するためのものであり、首掛け型装置１００が装着者の首元に装着されると、その首元の接近を検出することとなる。このため、近接センサ１８０が物体の近接を検出している状態にあるときに、各集音部１４１〜１４５、撮像部１６０、及びセンサ部１７０などの機器をオン（駆動状態）とし、近接センサ１８０が物体の近接を検出していない状態にあるときには、これらの機器をオフ（スリープ状態）、もしくは起動できない状態とすればよい。これにより、バッテリーの電力消費を効率的に抑えることができる。なお、近接センサ１８０としては公知のものを用いることができるが、光学式のものが用いられる場合には、近接センサ１８０の検出光を透過するために、本体部筐体に検出光を透過する透過部を設けるとよい。近接センサ１８０としては、光学式、超音波式、磁気式、静電容量式、又は温感式などの公知のものを採用できる。
【００２９】
また、左腕部１１０には、操作部１５０が設けられている。操作部１５０は、装着者による操作の入力を受け付ける。操作部１５０としては、公知のスイッチ回路又はタッチパネルなどを採用することができる。操作部１５０は、例えば音声入力の開始又は停止を指示する操作や、装置の電源のＯＮ又はＯＦＦを指示する操作、スピーカの音量の上げ下げを指示する操作、その他首掛け型装置１００の機能の実現に必要な操作を受け付ける。
【００３０】
また、図示は省略しているが、本体部１３０の外側（装着者の反対側）には放音部（スピーカ）が設けられている。放音部は、本体部１３０の外側に向かって音を出力するように配置されている。
【００３１】
また、首掛け型装置１００の構造的特徴として、左腕部１１０と右腕部１２０は、本体部１３０との連結部位の近傍にフレキシブル部１１１，１２１を有する。フレキシブル部１１１，１２１は、ゴムやシリコーンなどの可撓性材料で形成されている。このため、首掛け型装置１００の装着時に、左腕部１１０及び右腕部１２０が装着者の首元や肩上にフィットしやすくなる。なお、フレキシブル部１１１，１２１にも、各集音部１４１〜１４５や撮像部１６０等を本体部１３０内の制御部に接続する配線が挿通されている。
【００３２】
［３．衣服への首掛け型装置の取り付け方］
続いて、図４を参照して、衣服１に首掛け型装置１００を取り付ける方法について説明する。前述した通り、衣服本体１０の左前身頃１１の左肩部１１ａと右前身頃１２の右肩部１２ａには、それぞれ左腕保持具２０と右腕保持具３０が取り付けられている。本実施形態において、これら左右の保持具２０，３０は、伸縮性を有するループ部２１，３１と、このループ部２１，３１を衣服本体１０に固定するための固定部２２，３２を有する。つまり、保持具２０，３０は、固定部２２，３２が衣服本体１０に対して不動状態となるように縫い付けられているが、ループ部２１，３１は衣服本体１０に対しては固定されていない自由部分となっている。本実施形態に係るループ構造付きの保持具２０，３０としては、ゴムやシリコーンなどの公知の伸縮性材料を用いればよい。
【００３３】
そして、首掛け型装置１００を衣服１に取り付ける際には、左右の保持具２０，３０のループ部２１，３１に、首掛け型装置１００の左右の腕部１１０，１２０を挿通させる。すなわち、左腕保持具２０のループ部２１に首掛け型装置１００の左腕部１１０を挿し込むとともに、右腕保持具３０のループ部３１に首掛け型装置１００の右腕部１２０を差し込むこととなる。これにより、首掛け型装置１００は、衣服１に取り付けられた状態となる。ユーザは、この衣服１を着用することで、首掛け型装置１００の装着位置のずれを抑制しつつ、首掛け型装置１００を安定的に使用することができる。
【００３４】
さらに具体的に説明すると、左右の保持具２０，３０の固定部２２，３２は、装着者から見て、ループ部２１，３１よりも外側に設けられている。つまり、ループ部２１，３１と固定部２２，３２は横並びに配置されており、ループ部２１，３１よりも外側に固定部２２，３２が設けられている。これにより、ループ部２１，３１に左右の腕部１１０，１２０の差し込んだ状態では、このループ部２１，３１の伸縮性によって、左右の腕部１１０，１２０は、装着者からみて外側に向かって開くように付勢されることとなる。なお、図４では、左右の保持具２０，３０が左右の腕部１１０，１２０を引っ張る方向を黒色の矢印で示している。一方で、保持具２０，３０によって左右の腕部１１０，１２０が外側に開く方向に付勢されると、これに対する応力として、左右の腕部１１０，１２０には内側に向かって閉じようとする力が働く。図４では、この応力を白色の矢印で示している。このように、左右の腕部１１０，１２０に外向きの力と内向きの力を発生させることで、装着者に掛かる首掛け型装置１００の荷重が軽減されることとなる。このように、本実施形態では、保持具２０，３０を利用して首掛け型装置１００の荷重を分散させることで、装着者に与える負担を軽減することとしている。
【００３５】
また、前述のとおり、首掛け型装置１００の本体部１３０の内側には近接センサ１８０が設けられているが、このセンサが衣服１の後身頃１３によって覆われてしまうと、首掛け型装置１００がユーザによって装着されているか否かに関わらず、近接センサ１８０が常に物体の近接を検知し続けることになり誤作動を惹き起こす。このため、図４に示したように、本実施形態では、衣服１の後身頃１３の上縁部分に切り欠き部１３ａを形成して、近接センサ１８０を露出させることとしている。これにより、首掛け型装置１００が取り付けられた衣服１をユーザが着用したときに、近接センサ１８０によってユーザの近接状態を正常に検知できるようになる。
【００３６】
また、図２に示したように、衣服１の後身頃１３の背面側には、本体収納部１３ｂが設けられている。後身頃１３の背面側に設けられたファスナーを開封して、この本体収納部１３ｂに、首掛け型装置１００の本体部１３０を挿し込むことが可能である。本実施形態では、本体部１３０の下垂部１３１が、後身頃１３の本体収納部１３ｂ内に挿し込まれる。これにより、首掛け型装置１００の本体部１３０を外部からの衝撃から保護することできる。また、この本体部１３０を後身頃１３の本体収納部１３ｂ内に挿し込むことで、首掛け型装置１００の装着位置もずれにくくなる。
【００３７】
［４．オプション部品］
続いて、図５及び図６を参照して、本発明に係る衣服１に任意に付加することのできるオプション部品の一例について説明する。
【００３８】
図５は、雨避け用のカバー５０を示している。図５に示されるように、衣服１の後身頃１３の正面側には、カバー収納部１４が設けられており、その内部にカバー５０が収納されている。カバー５０は、防水性のプラスチックフィルム等で形成されており、基端側がカバー収納部１４内に固定され、先端側がカバー収納部１４から延出して自由に広げることができるようになっている。
【００３９】
また、カバー５０の先端側には、例えば面ファスナーのフック材５１が一又は複数箇所に取り付けられている。一方で、衣服１の後身頃１３の正面側の下方には、このフック材５１と係合する面ファスナーのループ材１５が設けられている。そして、図５に示したように、カバー５０の先端側をカバー収納部１４から引き出した後、後身頃１３の背面側を通って、このカバー５０の先端側に取り付けられたフック材５１を、後身頃１３の正面側に取り付けられたループ材１５に係合させる。これにより、衣服１に首掛け型装置１００を装着した状態において、このカバー５０によって、首掛け型装置１００の本体部１３０を覆うことができる。前述したように、首掛け型装置１００の本体部１３０には電子部品が集約されているため、この本体部１３０を防水性のカバー５０で覆うことで、屋外での作業時に急に雨が降り出したような状況でも、本体部１３０を雨から守って、故障を防ぐことができる。
【００４０】
図６は、衣服１に着脱可能なポーチ６０を示している。ポーチ６０を衣服１に装着することで、収納容積を拡張することできる。図６に示したポーチ６０は、図１に示した衣服１に装着することを想定して作成されたものである。具体的には、装着者からみて、ポーチ６０の右端部に取り付けられた雄バックル６１を、ベルト４０の雌バックル４２に嵌合させる。また、ポーチ６０の左端部に取り付けられた雌バックル６２を、ベルト４０の雄バックル４１に嵌合させる。さらに、ポーチ６０の上端部に取り付けられた２つの係止具６３，６４を、左前身頃１１の係止具１１ｄと右前身頃１２の係止具１２ｄにそれぞれ係合させることにより、このポーチ６０を左右の前身頃１１，１２に吊り下げる。このようにして、図６に示したポーチ６０を、衣服１に合体させて、装着者の腹部前辺りに配置することが可能である。
【００４１】
なお、衣服１のオプション部品は、ここに挙げたものに限られず、適宜公知のものを採用することが可能である。
【００４２】
っｓ
以上、本願明細書では、本発明の内容を表現するために、図面を参照しながら本発明の実施形態の説明を行った。ただし、本発明は、上記実施形態に限定されるものではなく、本願明細書に記載された事項に基づいて当業者が自明な変更形態や改良形態を包含するものである。
【符号の説明】
【００４３】
１…衣服                          １０…衣服本体
１１…左前身頃                    １２…右前身頃
１３…後身頃                      １４…カバー収納部
１５…ループ材（面ファスナー）    ２０…左腕保持具（保持手段）
２１…ループ部                    ２２…固定部
３０…右腕保持具（保持手段）      ３１…ループ部
３２…固定部                      ４０…ベルト
５０…カバー                      ５１…フック材（面ファスナー）
６０…ポーチ                      １００…首掛け型装置
１１０…左腕部                    １２０…右腕部
１３０…本体部                    １４１〜１４５…集音部
１５０…操作部                    １６０…撮像部
１７０…センサ部                  １８０…近接センサ
【要約】
【課題】首掛け型装置の装着位置にずれが生じることを抑制する。
【解決手段】本発明は、ユーザの首元を挟んだ位置に配置可能な２つの腕部を備える首掛け型装置をユーザの首周りに装着するための衣服１である。衣服１は、首掛け型装置が持つ２つの腕部の両方又は少なくともいずれか一方を、衣服本体１０に保持するための保持手段２０，３０を備える。
【選択図】図１【図１】
0006912135.tif 000002
【図２】
0006912135.tif 000003
【図３】
0006912135.tif 000004
【図４】
0006912135.tif 000005
【図５】
0006912135.tif 000006
【図６】
0006912135.tif 000007